(57)【要約】【課題】転写材の種類や環境条件の変化或いは繰り返し使用によるトナー像受像体の変化や劣化等によっても、トナー像受像体或いは転写材へのトナー像の転写や転写材の帯電や分離が良好になされる画像形成装置を提供すること。【解決手段】転写材の両面に画像形成できる画像形成装置において、転写材に電圧を印加してそのときの通電電流の値を検知或いは転写材に電流を通電してそのときの印加電圧の値を検知することにより、転写材の抵抗、容量或いは抵抗と容量とを併せて検知する転写材抵抗・容量検知手段を設け、転写材抵抗・容量検知手段による検知結果に応じて、記転写材の帯電を行う転写材帯電手段の帯電電流或いは帯電電圧の値、転写電流或いは転写電圧の値、転写材の分離を行う転写材分離手段の除電電流或いは除電電圧の値、の何れかの値を変更する。【選択図】図４
2006301662.tif 000002
【特許請求の範囲】
【請求項１】
トナー像形成手段により形成されたトナー像を担持する第１の像担持手段と、
前記第１の像担持手段に担持されたトナー像が転写され、転写された該トナー像を表面に担持する第２の像担持手段と、
前記第１の像担持手段に担持されたトナー像を前記第２の像担持手段および転写材の表面に転写する第１の転写手段と、
前記第２の像担持手段に担持されたトナー像を前記転写材の裏面に転写する第２の転写手段と、
前記転写材に転写されたトナー像を定着する定着手段とを有する画像形成装置において、
前記転写材に電圧を印加してそのときの通電電流の値を検知或いは前記転写材に電流を通電してそのときの印加電圧の値を検知することにより、前記転写材の抵抗、容量或いは抵抗と容量とを併せて検知する転写材抵抗・容量検知手段を設け、
前記転写材抵抗・容量検知手段による検知結果に応じて、
前記転写材の前記第２の像担持手段への供給部において前記転写材の帯電を行う転写材帯電手段の帯電電流或いは帯電電圧の値、
前記第１の像担持手段に担持されたトナー像を前記転写材の表面に転写する前記第１の転写手段の転写電流或いは転写電圧の値、
前記第２の像担持手段に担持されたトナー像を前記転写材の裏面に転写する前記第２の転写手段の転写電流或いは転写電圧の値、
前記転写材の前記第２の像担持手段からの分離部において前記転写材の分離を行う転写材分離手段の除電電流或いは除電電圧の値、の何れかの値を変更することを特徴とする画像形成装置。
【請求項２】
前記転写材抵抗・容量検知手段として前記転写材帯電手段を用いることを特徴とする請求項１に記載の画像形成装置。
【請求項３】
トナー像形成手段により形成されたトナー像を担持する第１の像担持手段と、
前記第１の像担持手段に担持されたトナー像が転写され、転写された該トナー像を表面に担持する第２の像担持手段と、
前記第１の像担持手段に担持されたトナー像を前記第２の像担持手段および転写材の表面に転写する第１の転写手段と、
前記第２の像担持手段に担持されたトナー像を前記転写材の裏面に転写する第２の転写手段と、
前記転写材に転写されたトナー像を定着する定着手段とを有する画像形成装置において、
前記転写材に電圧を印加してそのときの通電電流の値を検知或いは前記転写材に電流を通電してそのときの印加電圧の値を検知することにより、前記転写材の抵抗、容量或いは抵抗と容量とを併せて検知する転写材抵抗・容量検知手段と、
前記転写材の搬送方向に直交する方向の幅を検知する転写材幅検知手段とを設け、
前記転写材抵抗・容量検知手段による検知結果と、前記転写材幅検知手段による検知結果とに応じて、
前記転写材の前記第２の像担持手段への供給部において前記転写材の帯電を行う転写材帯電手段の帯電電流或いは帯電電圧の値、
前記第１の像担持手段に担持されたトナー像を前記転写材の表面に転写する前記第１の転写手段の転写電流或いは転写電圧の値、
前記第２の像担持手段に担持されたトナー像を前記転写材の裏面に転写する前記第２の転写手段の転写電流或いは転写電圧の値、
前記転写材の前記第２の像担持手段からの分離部において前記転写材の分離を行う転写材分離手段の除電電流或いは除電電圧の値、の何れかの値を変更することを特徴とする画像形成装置。
【請求項４】
前記転写材抵抗・容量検知手段として前記転写材帯電手段を用いることを特徴とする請求項３に記載の画像形成装置。
【請求項５】
トナー像形成手段により形成されたトナー像を担持する第１の像担持手段と、
前記第１の像担持手段に担持されたトナー像が転写され、転写された該トナー像を表面に担持する第２の像担持手段と、
前記第１の像担持手段に担持されたトナー像を前記第２の像担持手段および転写材の表面に転写する第１の転写手段と、
前記第２の像担持手段に担持されたトナー像を前記転写材の裏面に転写する第２の転写手段と、
前記転写材に転写されたトナー像を定着する定着手段とを有する画像形成装置において、
前記第２の像担持手段に電圧を印加してそのときの通電電流の値を検知或いは前記第２の像担持手段に電流を通電してそのときの印加電圧の値を検知することにより、前記第２の像担持手段の抵抗、容量或いは抵抗と容量とを併せて検知する第２の像担持手段抵抗・容量検知手段を設け、
前記第２の像担持手段抵抗・容量検知手段による検知結果に応じて、
前記第１の像担持手段に担持されたトナー像を前記第２の像担持手段に転写する前記第１の転写手段の転写電流或いは転写電圧の値、
前記第１の像担持手段に担持されたトナー像を前記転写材の表面に転写する前記第１の転写手段の転写電流或いは転写電圧の値、
前記第２の像担持手段に担持されたトナー像を前記転写材の裏面に転写する前記第２の転写手段の転写電流或いは転写電圧の値、
前記転写材の前記第２の像担持手段からの分離部において前記転写材の分離を行う転写材分離手段の除電電流或いは除電電圧の値、の何れかの値を変更することを特徴とする画像形成装置。
【請求項６】
前記第２の像担持手段抵抗・容量検知手段として、前記転写材の前記第２の像担持手段への供給部において前記転写材の帯電を行う転写材帯電手段を用いることを特徴とする請求項５に記載の画像形成装置。
【請求項７】
前記第１の転写手段は前記第２の像担持手段に当接し電圧印加可能なローラ部材を含み、
前記第２の像担持手段抵抗・容量検知手段として、前記第１の転写手段を用いることを特徴とする請求項５に記載の画像形成装置。
【請求項８】
前記第２の像担持手段に当接して前記第２の像担持手段上のトナーをクリーニングする第２の像担持手段クリーニング手段を電圧印加可能とし、
前記第２の像担持手段抵抗・容量検知手段として、前記第２の像担持手段クリーニング手段を用いることを特徴とする請求項５に記載の画像形成装置。
【発明の詳細な説明】
【技術分野】
【０００１】
本発明は、像担持体の周辺に帯電手段、像露光手段と現像手段を配置して像担持体に形成されたトナー像を転写材上に転写、定着する複写機、プリンタ、ＦＡＸ等の電子写真方式の画像形成装置に関する。
【背景技術】
【０００２】
従来、両面画像形成においては、像担持体上に形成された一方の面の画像を転写材上に転写、定着し、これを一旦両面反転給紙装置に収納し、再び像担持体上に形成された画像とタイミングを合わせて両面反転給紙装置より転写材を給送し、転写材上に他方の面の画像を転写、定着する方法がとられている。
【０００３】
この両面画像形成装置では、上記の如く、両面反転給紙装置への給送や定着装置を２度通す等の転写材の搬送が行われるので、転写材搬送の信頼性が低く、ジャム等を引き起こす原因となっていた。これに対し、特許文献１、特許文献２、特許文献３や特許文献４等により転写材の両面にトナー像を形成後、１回で定着を行うものが提案され、特に特許文献３や特許文献４には、像担持体、帯電手段、像露光手段、現像手段等よりなる像形成手段を複数組トナー像受像体上に並列に配置し、両面カラー画像を形成する方法が提案されている。
【特許文献１】特公昭４９−３７５３８号公報
【特許文献２】特公昭５４−２８７４０号公報
【特許文献３】特開平１−４４４５７号公報
【特許文献４】特開平４−２１４５７６号公報
【発明の開示】
【発明が解決しようとする課題】
【０００４】
しかしながら、上記の特許文献３や特許文献４により提案される両面カラー画像形成は、転写材の搬送性は向上するが、トナー像受像体上に１色ずつカラートナー像を重ねて行くので、色ズレやトナーの散りやこすれ等の画像劣化が起き易い。
【０００５】
そこで本願発明者らは、第１の像担持手段（感光体ドラム）の周りに帯電手段、像露光手段、現像手段等よりなる像形成手段を複数組配置し、感光体ドラム上に形成した重ね合わせカラートナー像を一旦第１の転写手段により第２の像担持手段（トナー像受像体）に一括して転写した後、再度感光体ドラム上に重ね合わせカラートナー像を形成し、感光体ドラム上のトナー像及びトナー像受像体上のトナー像とタイミングを合わせて供給される転写材を転写材帯電手段により帯電してトナー像受像体に吸着させ、トナー像受像体上を搬送される転写材の両面にそれぞれ、感光体ドラム上のトナー像を第１の転写手段により表面画像として転写し、またトナー像受像体上のトナー像を第２の転写手段により裏面画像として転写した後、転写材分離手段によりトナー像受像体から転写材を分離し、転写材上のトナー像を定着手段により定着して両面カラー画像を形成する画像形成装置を作製し、該装置を用いて両面画像形成（転写材の両面に画像形成を行うとき）や表面画像のみの片面画像形成（転写材の表面のみに画像形成を行うとき）や裏面画像のみの片面画像形成（転写材の裏面のみに画像形成を行うとき）等を検討している。
【０００６】
しかしながら、転写材の両面に画像形成を行うときと、転写材の表面のみに画像形成を行うときとで、感光体ドラム上の表面画像のトナー像を転写材の表面に転写する第１の転写手段の転写電流或いは転写電圧の値が同じであると、トナー像受像体上のトナー像の有無によって感光体ドラム上から転写材の表面への転写が影響を受け、表面画像のトナー像が必ずしも良好に転写材上に転写されないといった問題を生じる。
【０００７】
同様に、転写材の両面に画像形成を行うときと、転写材の裏面のみに画像形成を行うときとで、トナー像受像体上の裏面画像のトナー像を転写材の裏面に転写する第２の転写手段の転写電流或いは転写電圧の値が同じであると、転写材表面のトナー像の有無によってトナー像受像体から転写材の裏面への転写が影響を受け、裏面画像のトナー像が必ずしも良好に転写材上に転写されないといった問題を生じる。
【０００８】
また、転写材の両面に画像形成を行う際に、感光体ドラム上に形成した裏面画像のトナー像をトナー像受像体に転写するときの第１の転写手段の転写電流或いは転写電圧の値と、感光体ドラム上の表面画像のトナー像を転写材の表面に転写するときの第１の転写手段の転写電流或いは転写電圧の値とが同じであると、転写材の有無によって転写電界が異なって形成されるため、転写性が影響を受け、感光体ドラム上に形成したトナー像のトナー像受像体への転写や転写材の表面への転写が必ずしも良好に行われないといった問題を生じる。
【０００９】
更に、転写材の表面のみに画像形成を行うときと、転写材の両面或いは裏面のみに画像形成を行うときとで、転写材のトナー像受像体への供給部において転写材を帯電してトナー像受像体に吸着させる転写材帯電手段の帯電電流或いは帯電電圧の値が同じであると、トナー像受像体上のトナー像の有無によって転写材とトナー像受像体との密着性が影響を受け、トナー像受像体による転写材の搬送が良好に行われなかったり、トナー像受像体上のトナー像が乱れて画像が乱れるといった問題を生じる。
【００１０】
更にまた、転写材の表面のみに画像形成を行うときと、転写材の裏面のみ或いは両面に画像形成を行うときとで、転写材のトナー像受像体からの分離部において転写材の分離を行う転写材分離手段の除電電流或いは除電電圧の値が同じであると、転写材の表面或いは裏面のトナー像の有無によって転写材上に溜まる電荷が異なるため、転写材の分離性が影響を受け、分離が良好になされないといった問題を生じる。
【００１１】
また、転写材の種類や環境条件の変化或いは繰り返し使用によるトナー像受像体の変化や劣化等により、トナー像受像体或いは転写材へのトナー像の転写や転写材の帯電や分離が良好になされないといった問題を生じる。
【００１２】
本発明は上記の問題点を改良し、転写材の両面に画像形成を行うとき、転写材の表面のみに画像形成を行うとき及び転写材の裏面のみに画像形成を行うときの何れにおいても、トナー像受像体或いは転写材へのトナー像の転写が良好になされるとともに、転写材の搬送や分離も良好になされる画像形成装置を提供することを目的とする。
【００１３】
また、転写材の種類や環境条件の変化或いは繰り返し使用によるトナー像受像体の変化や劣化等によっても、トナー像受像体或いは転写材へのトナー像の転写や転写材の帯電や分離が良好になされる画像形成装置を提供することを目的とする。
【課題を解決するための手段】
【００１４】
上記目的は、トナー像形成手段により形成されたトナー像を担持する第１の像担持手段と、前記第１の像担持手段に担持されたトナー像が転写され、転写された該トナー像を表面に担持する第２の像担持手段と、前記第１の像担持手段に担持されたトナー像を前記第２の像担持手段および転写材の表面に転写する第１の転写手段と、前記第２の像担持手段に担持されたトナー像を前記転写材の裏面に転写する第２の転写手段と、前記転写材に転写されたトナー像を定着する定着手段とを有する画像形成装置において、前記転写材に電圧を印加してそのときの通電電流の値を検知或いは前記転写材に電流を通電してそのときの印加電圧の値を検知することにより、前記転写材の抵抗、容量或いは抵抗と容量とを併せて検知する転写材抵抗・容量検知手段を設け、前記転写材抵抗・容量検知手段による検知結果に応じて、前記転写材の前記第２の像担持手段への供給部において前記転写材の帯電を行う転写材帯電手段の帯電電流或いは帯電電圧の値、前記第１の像担持手段に担持されたトナー像を前記転写材の表面に転写する前記第１の転写手段の転写電流或いは転写電圧の値、前記第２の像担持手段に担持されたトナー像を前記転写材の裏面に転写する前記第２の転写手段の転写電流或いは転写電圧の値、前記転写材の前記第２の像担持手段からの分離部において前記転写材の分離を行う転写材分離手段の除電電流或いは除電電圧の値、の何れかの値を変更することを特徴とする画像形成装置によって達成される（第１の発明）。
【００１５】
また、上記目的は、トナー像形成手段により形成されたトナー像を担持する第１の像担持手段と、前記第１の像担持手段に担持されたトナー像が転写され、転写された該トナー像を表面に担持する第２の像担持手段と、前記第１の像担持手段に担持されたトナー像を前記第２の像担持手段および転写材の表面に転写する第１の転写手段と、前記第２の像担持手段に担持されたトナー像を前記転写材の裏面に転写する第２の転写手段と、前記転写材に転写されたトナー像を定着する定着手段とを有する画像形成装置において、前記転写材に電圧を印加してそのときの通電電流の値を検知或いは前記転写材に電流を通電してそのときの印加電圧の値を検知することにより、前記転写材の抵抗、容量或いは抵抗と容量とを併せて検知する転写材抵抗・容量検知手段と、前記転写材の搬送方向に直交する方向の幅を検知する転写材幅検知手段とを設け、前記転写材抵抗・容量検知手段による検知結果と、前記転写材幅検知手段による検知結果とに応じて、前記転写材の前記第２の像担持手段への供給部において前記転写材の帯電を行う転写材帯電手段の帯電電流或いは帯電電圧の値、前記第１の像担持手段に担持されたトナー像を前記転写材の表面に転写する前記第１の転写手段の転写電流或いは転写電圧の値、前記第２の像担持手段に担持されたトナー像を前記転写材の裏面に転写する前記第２の転写手段の転写電流或いは転写電圧の値、前記転写材の前記第２の像担持手段からの分離部において前記転写材の分離を行う転写材分離手段の除電電流或いは除電電圧の値、の何れかの値を変更することを特徴とする画像形成装置によって達成される（第２の発明）。
【００１６】
また、上記目的は、トナー像形成手段により形成されたトナー像を担持する第１の像担持手段と、前記第１の像担持手段に担持されたトナー像が転写され、転写された該トナー像を表面に担持する第２の像担持手段と、前記第１の像担持手段に担持されたトナー像を前記第２の像担持手段および転写材の表面に転写する第１の転写手段と、前記第２の像担持手段に担持されたトナー像を前記転写材の裏面に転写する第２の転写手段と、前記転写材に転写されたトナー像を定着する定着手段とを有する画像形成装置において、前記第２の像担持手段に電圧を印加してそのときの通電電流の値を検知或いは前記第２の像担持手段に電流を通電してそのときの印加電圧の値を検知することにより、前記第２の像担持手段の抵抗、容量或いは抵抗と容量とを併せて検知する第２の像担持手段抵抗・容量検知手段を設け、前記第２の像担持手段抵抗・容量検知手段による検知結果に応じて、前記第１の像担持手段に担持されたトナー像を前記第２の像担持手段に転写する前記第１の転写手段の転写電流或いは転写電圧の値、前記第１の像担持手段に担持されたトナー像を前記転写材の表面に転写する前記第１の転写手段の転写電流或いは転写電圧の値、前記第２の像担持手段に担持されたトナー像を前記転写材の裏面に転写する前記第２の転写手段の転写電流或いは転写電圧の値、前記転写材の前記第２の像担持手段からの分離部において前記転写材の分離を行う転写材分離手段の除電電流或いは除電電圧の値、の何れかの値を変更することを特徴とする画像形成装置によって達成される（第３の発明）。
【発明の効果】
【００１７】
第１の発明によれば、転写材の厚みや材質或いは機内の環境条件等によって転写材の抵抗・容量の変化が有っても、トナー像の転写や転写材の帯電や転写材の分離が良好に行われる。
【００１８】
第２の発明によれば、第２の像担持体の繰り返し使用による劣化や機内の環境条件等によって第２の像担持体の抵抗・容量の変化が有っても、トナー像の転写や転写材の分離が良好に行われる。
【００１９】
第３の発明によれば、第２の像担持手段抵抗・容量検知手段により、転写材の種類や環境条件の変化或いは繰り返し使用による第２の像担持手段の変化や劣化等が有っても、表面画像の片面画像形成時、裏面画像の片面画像形成時或いは両面画像形成時におけるトナー像の転写、転写材の帯電及び転写材の分離が良好に行われる。
【発明を実施するための最良の形態】
【００２０】
以下本発明の実施の形態を説明する。本欄の記載は請求項の技術的範囲や用語の意義を限定するものではなく、以下における断定的な説明はベストモードを示すものであって、本発明の用語の意義や技術的範囲を限定するものではない。なお以下の実施形態の説明において、転写域において像担持体に対向する側の転写材の面を表面、転写材の他方の側の面すなわち第２の像担持手段に対向する側の転写材の面を裏面といい、転写材の表面に転写される画像を表面画像、転写材の他方の側の面に転写される画像を裏面画像という。また、以下の説明において転写材帯電手段の帯電電流或いは帯電電圧の値、第１の転写手段の転写電流或いは転写電圧の値、第２の転写手段の転写電流或いは転写電圧の値を大きくするという場合は、各電流或いは電圧の絶対値を大きくするという意味であり、転写材分離手段の除電電流或いは除電電圧の値を大きくするという場合は、単にＡＣ電流或いはＡＣ電圧を大きくするという意味である。但し転写材分離手段の除電電流或いは除電電圧がＤＣ成分を含む場合は、ＤＣ成分の電流或いは電圧の絶対値を大きくするという意味も含まれる。
【００２１】
実施形態１
本発明の画像形成装置の第１の実施形態の画像形成プロセスおよび各機構について図１〜図３を用いて説明する。図１は、本発明の画像形成装置の第１の実施形態を示すカラー画像形成装置の断面構成図であり、図２は、本発明にかかわる画像形成装置により転写材の両面に画像形成を行うときのトナー像の形成状態と転写材の供給を示す図であり、図３は、本発明にかかわる画像形成装置により転写材の表面または裏面のみに画像形成を行うときのトナー像の形成状態と転写材の供給及び排出を示す図であり、図３（Ａ）は表面画像形成を示す図であり、図３（Ｂ）は裏面画像形成を示す図である。
【００２２】
第１の像担持手段である感光体ドラム１０は、例えば、光学ガラスや透明アクリル樹脂の透明部材によって形成される円筒状の基体の外周に、透明の導電層、ａ−Ｓｉ層あるいは有機感光層（ＯＰＣ）等の感光層を形成したものであり、接地された状態で図１の矢印で示す時計方向に回転される。
【００２３】
帯電手段としてのスコロトロン帯電器１１、像露光手段としての露光ユニット１２、現像手段としての現像器１３は、それぞれ、イエロー（Ｙ）、マゼンタ（Ｍ）、シアン（Ｃ）および黒色（Ｋ）の各色の画像形成プロセスに用いられ、本実施形態においては、図１の矢印にて示す感光体ドラム１０の回転方向に対して、Ｙ、Ｍ、Ｃ、Ｋの順に配置される。
【００２４】
各色毎の帯電手段としてのスコロトロン帯電器１１は、鋸歯状電極或いはワイヤ電極からなるコロナ放電電極１１ａと、感光体ドラム１０の前述した有機感光体層に対し所定の電位に保持された制御グリッドとで構成され、感光体ドラム１０の移動方向に対して直交する方向に感光体ドラム１０と対峙し近接して取り付けられる。スコロトロン帯電器１１は、トナーと同極性のコロナ放電（本実施形態においてはマイナス帯電）を行い、感光体ドラム１０に対し一様な電位を与える。
【００２５】
各色毎の像露光手段としての露光ユニット１２は、感光体ドラム１０上での露光位置が各色毎のスコロトロン帯電器１１に対して感光体ドラム１０の回転方向下流側になるようにして、感光体ドラム１０の内部に配置される。
【００２６】
各色毎の露光ユニット１２は、それぞれ、像露光光の発光素子としてのＬＥＤ（発光ダイオード）１２１を感光体ドラム１０の軸と平行に複数個アレイ状に並べた線状の露光素子１２ａと等倍結像素子としてのセルフォックレンズ１２ｂとが不図示のホルダに取付けられた露光用ユニットとして構成される。これら各色毎の露光ユニット１２は、一様露光器１２ｃ及び転写同時露光器１２ｄとともに保持部材２０に取付けられ、保持部材２０を装置本体に固定することにより、各色毎の露光ユニット１２、一様露光器１２ｃ及び転写同時露光器１２ｄが一体となって感光体ドラム１０の基体内部に収容される。露光素子としては、その他ＦＬ（蛍光体発光），ＥＬ（エレクトロルミネッセンス），ＰＬ（プラズマ放電）等の複数の発光素子をアレイ状に並べた線状のものが用いられる。露光ユニット１２は、別体の画像読み取り装置によって読み取られメモリに記憶された各色の画像データに基づいて感光体ドラム１０に像露光を行い、感光体ドラム１０上に潜像を形成する。この実施形態で使用される発光素子の発光波長は、通常Ｙ、Ｍ、Ｃのトナーの透過性の高い６８０〜９００ｎｍの範囲のものが良好であるが、裏面から像露光を行うことからカラートナーに透明性を十分に有しないこれより短い波長でもよい。
【００２７】
各色毎の現像手段としての現像器１３は、それぞれ、例えば厚み０．５ｍｍ〜１ｍｍ、外径１５〜２５ｍｍの円筒状の非磁性のステンレスあるいはアルミ材で形成された現像剤担持体である現像スリーブ１３１と、現像ケーシング１３８とを備え、内部にＹ、Ｍ、ＣおよびＫの一成分あるいは二成分の現像剤を収容している。現像スリーブ１３１は、不図示の突き当てコロにより感光体ドラム１０と所定の値の間隙、例えば１００μｍ〜１０００μｍをあけて非接触に保たれ、感光体ドラム１０の回転方向と順方向に回転しており、現像スリーブ１３１に対して現像バイアスとしてトナーと同極性（本実施形態においてはマイナス極性）の直流電圧あるいは直流と交流との重畳電圧を印加することにより、感光体ドラム１０の露光部に対して非接触の状態で反転現像が行われる。この時の現像間隔精度は画像ムラを防ぐために２０μｍ程度以下が必要である。
【００２８】
第２の像担持手段としてのトナー像受像体１４ａは、駆動ローラ１４ｄ及び従動ローラ１４ｅ間に張架され、感光体ドラム１０に接触して設けられた無端状のベルトであり、例えば厚さ０．５〜２．０ｍｍ、体積抵抗率１０8〜１０14Ω・ｃｍのシリコンゴム或いはウレタンゴムからなる半導電性のゴムベルト基体の外側に、トナーフィルミング防止層として厚さ５μｍ〜５０μｍの半導電性のフッ素コーティングを行った２層構成とされる。ゴムベルト基体の代わりに、厚さ０．１〜０．５ｍｍ、体積抵抗率１０8〜１０14Ω・ｃｍの半導電性のポリエステル、ポリスチレン、ポリエチレン、ポリエチレンテレフタレート、ポリイミド、変性ポリイミドやＥＴＦＥ（エチレン−テトラフルオロエチレン共重合体）等を使用することもできる。
【００２９】
転写材帯電手段としての紙帯電器１５０は、支軸１５２を回転支点としてトナー像受像体１４ａに当接及び当接解除可能な帯電ブラシであり、トナー像受像体１４ａを張架する接地された従動ローラ１４ｅに対向して配置される。紙帯電器１５０は、転写材としての記録紙Ｐの通過にともない記録紙Ｐを介してトナー像受像体１４ａに当接状態とされ、記録紙Ｐの後端の通過直前或いは同時にトナー像受像体１４ａより当接解除され記録紙Ｐと離間される。記録紙Ｐが紙帯電器１５０を通過する際、紙帯電器１５０にトナーと同極性の直流電圧を印加することにより記録紙Ｐを帯電し、記録紙Ｐはトナー像受像体１４ａに吸着されて転写域１４ｂへ給送される。トナーと同極性に紙帯電を行うことにより、トナー像受像体１４ａ上のトナー像や感光体ドラム１０上のトナー像と記録紙Ｐとが引き合うことを防止して、トナー像の乱れを防止している。転写材帯電手段としては、その他に、トナー像受像体１４ａに当接及び当接解除可能な導通ローラや導電性フィルム等を用いることも可能である。
【００３０】
第１の転写手段としての転写器１４ｃは、トナーと反対極性（本実施形態においてはプラス極性）の電圧が印加されるコロトロン帯電器であり、トナー像受像体１４ａを介して感光体ドラム１０に対向して配置される。転写器１４ｃはトナー像受像体１４ａの背面をトナーと反対極性に帯電することにより感光体ドラム１０との間に転写域１４ｂを形成し、感光体ドラム１０上の裏面画像のトナー像をトナー像受像体１４ａに転写し、また感光体ドラム１０上の表面画像のトナー像を記録紙Ｐの表面に転写する。
【００３１】
第２の転写手段としての裏面転写器１４ｇは、トナーと反対極性（本実施形態においてはプラス極性）の電圧が印加されるコロトロン帯電器であり、接地された駆動ローラ１４ｄに対向してトナー像受像体１４ａ上を搬送される記録紙Ｐの表面側に配置される。裏面転写器１４ｇは記録紙Ｐの表面をトナーと反対極性に帯電し、トナー像受像体１４ａ上の裏面画像のトナー像を記録紙Ｐの裏面に転写する。
【００３２】
転写材分離手段としての紙分離ＡＣ除電器１４ｈは、ＡＣ電圧またはＡＣとＤＣの重畳電圧が印加されるコロトロン帯電器であり、接地された駆動ローラ１４ｄに対向してトナー像受像体１４ａ上を搬送される記録紙Ｐの表面側に配置される。紙分離ＡＣ除電器１４ｈは、記録紙Ｐのトナー像受像体１４ａからの分離部において記録紙Ｐを除電し、トナー像受像体１４ａから分離する。
【００３３】
定着手段としての定着装置１７は、ともに内部にヒータを有する定着ローラ１７ａと圧着ローラ１７ｂとで構成される熱ローラ定着器であり、トナー像受像体１４ａから分離され両面にトナー像を有する記録紙Ｐを定着ローラ１７ａと圧着ローラ１７ｂとの間で挟持搬送することにより熱と圧力とを加え、記録紙Ｐ上のトナー像を定着する。
【００３４】
画像記録のスタートにより不図示の感光体駆動モータの始動により感光体ドラム１０が図１の矢印で示す時計方向へ回転され、イエロー（Ｙ）のスコロトロン帯電器１１の帯電作用により感光体ドラム１０に電位の付与が開始される。
【００３５】
また原稿画像として、本装置とは別体の画像読取装置の撮像素子により読み取られた画像あるいはコンピュータで編集された画像が、Ｙ、Ｍ、ＣおよびＫの各色別の画像データとして一旦メモリに記憶され格納される。
【００３６】
感光体ドラム１０は電位を付与された後、Ｙの露光ユニット１２によって第１の色信号すなわちＹの画像データに対応する電気信号による露光走査が開始され、感光体ドラム１０の表面に原稿画像のＹの画像に対応する静電潜像が形成される。
【００３７】
感光体ドラム１０上に形成されたＹの静電潜像は、Ｙの現像器１３により非接触の状態で反転現像され、感光体ドラム１０上にイエロー（Ｙ）のトナー像が形成される。
【００３８】
次いで感光体ドラム１０は、前記Ｙのトナー像の上からマゼンタ（Ｍ）のスコロトロン帯電器１１の帯電作用により電位が付与され、Ｍの露光ユニット１２によって第２の色信号すなわちＭの画像データに対応する電気信号による露光が行われ、Ｍの静電潜像が形成される。Ｍの静電潜像は、Ｍの現像器１３により非接触の状態で反転現像され、前記のイエロー（Ｙ）のトナー像の上にマゼンタ（Ｍ）のトナー像が重ね合わせて形成される。
【００３９】
同様のプロセスにより、シアン（Ｃ）のスコロトロン帯電器１１、Ｃの露光ユニット１２およびＣの現像器１３によってさらに第３の色信号に対応するシアン（Ｃ）のトナー像が、また黒色（Ｋ）のスコロトロン帯電器１１、Ｋの露光ユニット１２およびＫの現像器１３によって第４の色信号に対応する黒色（Ｋ）のトナー像が順次重ね合わせて形成され、感光体ドラム１０の一回転以内にその周面上にＹ、Ｍ、ＣおよびＫの重ね合わせカラートナー像が形成される（トナー像形成手段）。
【００４０】
これらＹ、Ｍ、ＣおよびＫの露光ユニット１２による感光体ドラム１０の有機感光層に対する露光はドラムの内部より前述した透明の基体を通して行われるため、第２，第３および第４の色信号に対応する画像の露光も先に形成されたトナー像の影響を全く受けることなく行われ、第１の色信号に対応する画像と同等の静電潜像を形成することが可能となる。
【００４１】
上記の画像形成プロセスによって第１の像担持手段としての感光体ドラム１０上に裏面画像となる重ね合わせカラートナー像が形成され、転写域１４ｂにおいて、転写器１４ｃにより、第２の像担持手段としてのトナー像受像体１４ａ上に一括して転写される。この際、良好な転写がなされるように、例えば発光ダイオードを用いた転写同時露光器１２ｄによる一様露光を行ってもよい。
【００４２】
転写後の感光体ドラム１０の周面上に残ったトナーは感光体ドラムＡＣ除電器１６により除電を受けた後、感光体ドラム１０のクリーニング手段としてのクリーニング装置１９にいたり、感光体ドラム１０に当接したゴム材から成るクリーニングブレード１９ａによってクリーニングされ、スクリュウ１９ｂによって不図示の排トナー容器に回収される。また感光体ドラム１０の周面は、例えば発光ダイオードを用いた帯電前の一様露光器１２ｃによる露光によって除電され、先の画像形成における感光体ドラム１０の履歴が解消される。
【００４３】
以上のようにして感光体ドラム１０上に裏面画像となる重ね合わせカラートナー像が形成された後、引き続き、上記のカラー画像形成プロセスと同様にして、表面画像となる重ね合わせカラートナー像が感光体ドラム１０上に形成される。なお感光体ドラム１０上に形成する表面画像は、先に形成した裏面画像に対して鏡像になる様に、画像データを変更する必要がある。
【００４４】
また転写材収納手段である給紙カセット１５から、転写材である記録紙Ｐが送り出しローラ１５ａによりタイミングローラ１５ｂへ送り出され、タイミングローラ１５ｂの駆動によって、図２に示すように、感光体ドラム１０上に担持された表面画像のカラートナー像と、トナー像受像体１４ａに担持されている裏面画像のカラートナー像と、記録紙Ｐとの同期がとられて、紙帯電器１５０へ給送される。
【００４５】
紙帯電器１５０は記録紙Ｐの通過にともない当接状態とされ、記録紙Ｐを帯電する。記録紙Ｐはトナー像受像体１４ａ上に担持されている裏面画像のカラートナー像を介してトナー像受像体１４ａに吸着され、トナー像受像体１４ａの移動とともに転写域１４ｂへ給送される。
【００４６】
転写域１４ｂでは、第１の転写手段としての転写器１４ｃにより感光体ドラム１０上の表面画像のカラートナー像が一括して記録紙Ｐの表面に転写される。この際、トナー像受像体１４ａ上に担持されている裏面画像のカラートナー像は記録紙Ｐに転写されないでトナー像受像体１４ａ上に存在する。なお転写器１４ｃによる転写の際、良好な転写がなされるように、転写器１４ｃと対向して感光体ドラム１０の内部に設けられた、例えば発光ダイオードを用いた転写同時露光器１２ｄにより一様露光を行うようにしてもよい。
【００４７】
表面にカラートナー像が転写された記録紙Ｐは、次に第２の転写手段としての裏面転写器１４ｇへと搬送され、裏面転写器１４ｇによりトナー像受像体１４ａ上に担持されている裏面画像のカラートナーが記録紙Ｐの裏面に一括して転写される。
【００４８】
以上のようにして両面にカラートナー像が転写された記録紙Ｐは、転写材分離用としての紙分離ＡＣ除電器１４ｈにより除電され、トナー像受像体１４ａから分離される。
【００４９】
トナー像受像体１４ａから分離された記録紙Ｐは、定着手段としての定着装置１７へと搬送され、熱と圧力によって表面および裏面に付着したトナーが定着された後、排紙ローラ１８を経て、装置外部のトレイへ排出される。
【００５０】
裏面画像のトナー像を記録紙Ｐへ転写した後にトナー像受像体１４ａ上に残ったトナーは、従動ローラ１４ｅと対向して設けられ、支軸１４２を回転支点としてトナー像受像体１４ａに当接及び当接の解除可能なブレード部材としてのトナー受像体クリーニングブレード１４１を有する、クリーニング手段であるトナー像受像体クリーニング装置１４０によりクリーニングされる。なお、前記トナー受像体クリーニングブレード１４１の当接解除及び当接は不図示の当節解除ソレノイドのｏｎ，ｏｆｆにより行われる。
【００５１】
また、表面画像のトナー像を記録紙Ｐへ転写した後に感光体ドラム１０上に残ったトナーは、裏面画像形成時と同様に感光体ドラムＡＣ除電器１６により除電を受けた後、感光体ドラムクリーニング装置１９によって残留トナーを除去され、また感光体ドラム１０の周面は、帯電前の一様露光器１２ｃによる露光によって除電されて先の画像形成における感光体ドラム１０の履歴が解消され、次の画像形成サイクルにはいる。
【００５２】
上記の画像形成装置においては、以上のようにして重ね合わせカラートナー像を一括転写して記録紙Ｐの両面にカラー画像を形成するので、トナー像受像体１４ａ上のカラー画像の色ズレやトナーの散りやこすれ等が起こりにくく、画像劣化が少ない良好な両面カラー画像を形成することができる。
【００５３】
また上記の説明は、記録紙Ｐの両面に画像を形成する際のものであるが、記録紙Ｐの表面または裏面のみに画像を形成できることは勿論である。
【００５４】
転写材の表面のみに画像形成を行うときは、図３（Ａ）に示すように、感光体ドラム１０上に形成した表面画像のカラートナー像と同期するように記録紙Ｐが転写域１４ｂへ給送され、転写器１４ｃにより表面画像のトナー像が一括して記録紙Ｐの表面に転写され、表面にトナー像が形成された記録紙Ｐは、紙分離ＡＣ除電器１４ｈにより除電されてトナー像受像体１４ａから分離された後、定着手段としての定着装置１７へと搬送され、排紙ローラ１８へと至る排出路において反転されて、トナー像面を下面とし頁揃えされて装置外部のトレイへ排出される。
【００５５】
また転写材の裏面のみに画像形成を行うときは、図３（Ｂ）に示すように、感光体ドラム１０上に形成した裏面画像のカラートナー像を転写器１４ｃにより一旦トナー像受像体１４ａ上に一括して転写し、つぎにとトナー像受像体１４ａ上に転写した裏面画像のカラートナー像と同期するように記録紙Ｐが転写域１４ｂへ給送され、裏面転写器１４ｇにより裏面画像のトナー像が一括して記録紙Ｐの裏面に転写され、裏面にトナー像が形成された記録紙Ｐは、紙分離ＡＣ除電器１４ｈにより除電されてトナー像受像体１４ａから分離された後、定着手段としての定着装置１７へと搬送され、不図示の排出路切替部材により排出路を切り替えられて略水平に搬送され、トナー像面を上面とし頁揃えされて装置外部の不図示のトレイへ排出される。
【００５６】
なお本装置においては、図１に示すように、機内の環境条件を測定するセンサとして例えば機内湿度を検知するための湿度検知センサ１６０を、感光体ドラム１０とトナー像受像体１４ａとに近接した位置に設け、センサの検知結果に応じて紙帯電器１５０による帯電条件、転写器１４ｃおよび裏面転写器１４ｇによる転写条件、紙分離ＡＣ除電器１４ｈによる除電条件等を制御することができる。また機内の環境条件を測定するセンサとして、この他に温度センサ等を設けてもよい。
【００５７】
次に、本発明の第１の実施形態における第１の転写手段の転写電流、第２の転写手段の転写電流、転写材帯電手段の帯電電流及び転写材分離手段の除電電流の制御について図４〜図６を用いて説明する。図４は、第１の実施形態における第１の転写手段の転写電流、第２の転写手段の転写電流、転写材帯電手段の帯電電流及び転写材分離手段の除電電流の制御を示すブロック図であり、図５は、転写材の表面または裏面のみ或いは転写材の両面に画像形成を行う際の転写特性を示す図であり、図５（Ａ）は両面画像形成および表面画像形成において第１の像担持手段上に担持されている表面画像のトナー像を第１の転写手段により転写材の表面に転写するときの転写特性を示す図であり、図５（Ｂ）は両面画像形成および裏面画像形成において第２の像担持手段上に担持されている裏面画像のトナー像を第２の転写手段により転写材の裏面に転写するときの転写特性を示す図であり、図５（Ｃ）は両面画像形成において第１の像担持手段上に担持されている裏面画像のトナー像および表面画像のトナー像をそれぞれ第１の転写手段により第２の像担持手段または転写材の表面に転写するときの転写特性を示す図であり、図６は、転写材を第２の像担持手段に供給するときの転写材の帯電および第２の像担持手段への吸着の状態を示す図であり、図６（Ａ）は表面画像形成時の状態を示す図であり、図６（Ｂ）は両面画像形成時および裏面画像形成時の状態を示す図である。
【００５８】
図４において、１０は第１の像担持手段である感光体ドラム、１４ａは第２の像担持手段であるトナー像受像体、１５０は転写材帯電手段としての紙帯電器、１４ｃは第１の転写手段としての転写器、１４ｇは第２の転写手段としての裏面転写器、１４ｈは転写材分離手段としての紙分離ＡＣ除電器であり、Ｅ１は紙帯電器１５０に帯電電流を供給するための直流定電流電源、Ｅ２は転写器１４ｃに転写電流を供給するための直流定電流電源、Ｅ３は裏面転写器１４ｇに転写電流を供給するための直流定電流電源、Ｅ４は紙分離ＡＣ除電器１４ｈに除電電流を供給するための交流定電流電源である。
【００５９】
本装置では、不図示の操作部より両面画像形成モード、表面画像形成モードおよび裏面画像形成モードの中から画像形成モードが選択され、それぞれの画像形成が行われる。この際、選択された画像形成モードに応じて、予め実験により求められ、記憶手段としてのＲＯＭ、ＲＡＭ内に格納されている画像形成モードに基づく最適電流値が制御部を通してＲＯＭやＲＡＭ内より読み出され、転写器１４ｃの直流定電流電源Ｅ２による転写電流値、裏面転写器１４ｇの直流定電流電源Ｅ３による転写電流値、紙帯電器１５０の直流定電流電源Ｅ１による帯電電流値、紙分離ＡＣ除電器１４ｈの交流定電流電源Ｅ４による除電電流値の補正が行われる。
【００６０】
図５（Ａ）は、常温常湿（２０±５℃，４５±１０％）の環境条件下で４５〜５５ｋｇ／ｍ2の紙厚の普通紙を用いたときに、感光体ドラム１０上に担持されている表面画像のトナー像を第１の転写手段としての転写器１４ｃにより記録紙Ｐの表面に転写するときの転写特性を示す図であり、（ａ）は表面画像形成モード時、（ｂ）は両面画像形成モード時を示す。
【００６１】
両面画像形成モード時の最適転写電流値の方が表面画像形成モード時の最適転写電流値よりも大きくなっており、これは、両面画像形成モード時には記録紙Ｐの裏面とトナー像受像体１４ａとの間に裏面画像のトナー像が存在していることによって転写電界が弱められるためであると考えられる。
【００６２】
両面画像形成モード時及び表面画像形成モード時の何れにおいても良好な転写性を得るためには、両面画像形成モード時の転写電流値ＩＡ２を表面画像形成モード時の転写電流値ＩＡ１よりも大きく設定する必要があり、例えばＩＡ２として０．３〜０．７ｍＡ、ＩＡ１として０．２〜０．６ｍＡとなるように、両面画像形成モード時と表面画像形成モード時とで、感光体ドラム１０上に担持されている表面画像のトナー像を記録紙Ｐの表面に転写するときの転写器１４ｃへの転写電流値を変更する。
【００６３】
図５（Ｂ）は、常温常湿（２０±５℃，４５±１０％）の環境条件下で４５〜５５ｋｇ／ｍ2の紙厚の普通紙を用いたときに、トナー像受像体１４ａ上に担持されている裏面画像のトナー像を第２の転写手段としての裏面転写器１４ｇにより記録紙Ｐの裏面に転写するときの転写特性を示す図であり、（ａ）は裏面画像形成モード時、（ｂ）は両面画像形成モード時を示す。
【００６４】
両面画像形成モード時の最適転写電流値の方が裏面画像形成モード時の最適転写電流値よりも大きくなっており、これは、両面画像形成モード時には記録紙Ｐの表面に表面画像のトナー像が存在していることによって転写電界が弱められるためであると考えられる。
【００６５】
両面画像形成モード時及び裏面画像形成モード時の何れにおいても良好な転写性を得るためには、両面画像形成モード時の転写電流値ＩＢ２を裏面画像形成モード時の転写電流値ＩＢ１よりも大きく設定する必要があり、例えばＩＢ２として０．３〜０．６ｍＡ、ＩＢ１として０．２〜０．５ｍＡとなるように、両面画像形成モード時と裏面画像形成モード時とで、トナー像受像体１４ａ上に担持されている裏面画像のトナー像を記録紙Ｐの裏面に転写するときの裏面転写器１４ｇへの転写電流値を変更する。
【００６６】
図５（Ｃ）は、常温常湿（２０±５℃，４５±１０％）の環境条件下で４５〜５５ｋｇ／ｍ2の紙厚の普通紙を用い両面画像形成モードを選択したときに、感光体ドラム１０上に担持されている裏面画像のトナー像および表面画像のトナー像をそれぞれ第１の転写手段としての転写器１４ｃによりトナー像受像体１４ａまたは記録紙Ｐの表面に転写するときの転写特性を示す図であり、（ａ）はトナー像受像体１４ａへの裏面画像転写時。（ｂ）は記録紙Ｐの表面への表面画像転写時を示す。
【００６７】
表面画像転写時の最適転写電流値の方が裏面画像転写時の最適転写電流値よりも大きくなっており、これは、表面画像転写時には感光体ドラム１０とトナー像受像体１４ａとの間に記録紙Ｐと裏面画像のトナー像が存在していることによって転写電界が弱められるためであると考えられる。
【００６８】
表面画像転写時及び裏面画像転写時の何れにおいても良好な転写性を得るためには、表面画像転写時の転写電流値ＩＣ２を裏面画像転写時の転写電流値ＩＣ１よりも大きく設定する必要があり、例えばＩＣ２として０．４〜０．８ｍＡ、ＩＣ１として０．２〜０．６ｍＡとなるように、裏面画像転写時と表面画像転写時とで、感光体ドラム１０上に担持されている裏面画像のトナー像および表面画像のトナー像をそれぞれトナー像受像体１４ａまたは記録紙Ｐの表面に転写するときの転写器１４ｃへの転写電流値を変更する。
【００６９】
また、常温常湿（２０±５℃，４５±１０％）の環境条件下で４５〜５５ｋｇ／ｍ2の紙厚の普通紙を用いたときに、転写材帯電手段としての紙帯電器１５０により記録紙Ｐを帯電させトナー像受像体１４ａに吸着させるときの帯電特性を実験にて求めたところ、裏面画像形成モード時或いは両面画像形成モード時の最適帯電電流値の方が表面画像形成モード時の最適帯電電流値よりも大きくなっており、また裏面画像形成モード時と両面画像形成モード時とでは裏面画像形成モード時の最適帯電電流値の方が若干大きくなっていることが確認された。これは、図６に示すように、裏面画像形成モード時或いは両面画像形成モード時には、トナー像受像体１４ａ上に紙帯電器１５０による記録紙Ｐの帯電極性と同じ極性の裏面画像のトナー像が存在しており、このトナー像の影響によってトナー像受像体１４ａへの記録紙Ｐへの吸着が弱められるためであると考えられる。また裏面画像形成モード時と両面画像形成モード時との違いは、両面画像形成モード時は感光体ドラム１０上の表面画像のトナー像を記録紙Ｐの表面に転写する際に第１の転写手段としての転写器１４ｃの印加により記録紙Ｐとトナー像受像体１４ａとの密着性が増すのに対し、裏面画像形成モード時には転写器１４ｃは不作動であり密着効果がないためであると考えられる。
【００７０】
表面画像モード時、裏面画像モード時及び両面画像形成モード時の何れにおいても良好な帯電・吸着性を得るためには、両面画像形成モード時の帯電電流値を表面画像形成モード時の帯電電流値よりも大きくするとともに、裏面画像形成モード時の帯電電流値を両面画像形成モード時の帯電電流値よりも大きく或いは等しく設定する必要があり、例えば表面画像形成モード時の帯電電流値として−５０μＡ、両面画像形成モード時の帯電電流値として−７０μＡ、裏面画像形成モード時の帯電電流値として−７５μＡとなるように、表面画像形成モード時、両面画像形成モード時、裏面画像形成モード時のそれぞれにおいて、紙帯電器１５０により記録紙Ｐを帯電させトナー像受像体１４ａに吸着させるときの紙帯電器１５０への帯電電流値を変更する。
【００７１】
更に、常温常湿（２０±５℃，４５±１０％）の環境条件下で４５〜５５ｋｇ／ｍ2の紙厚の普通紙を用いたときに、転写材分離手段としての紙分離ＡＣ除電器１４ｈにより記録紙Ｐを除電しトナー像受像体１４ａから分離させるときの除電特性を実験にて求めたところ、両面画像形成モード時或いは裏面画像形成モード時の最適除電流値の方が表面画像形成モード時の最適帯電電流値よりも大きくなっており、また両面画像形成モード時と裏面画像形成モード時とでは両面画像形成モード時の最適除電電流値の方が若干大きくなっていることが確認された。これは、両面画像形成モード時或いは裏面画像形成モード時には、紙分離ＡＣ除電器１４ｈによる記録紙Ｐの除電の直前に裏面転写器１４ｇによる裏面画像のトナー像の転写が行われるため、これによってトナー像受像体１４ａと記録紙Ｐとの吸着が強められ、より大きな除電電流が必要となるものと考えられる。また両面画像形成モード時と裏面画像形成モード時との違いは、両面画像形成モード時は記録紙Ｐの表面に存在するトナー像の除電を行う必要があるため、さらに大きな除電電流が必要となるものと考えられる。
【００７２】
表面画像モード時、裏面画像モード時及び両面画像形成モード時の何れにおいても良好な分離性を得るためには、裏面画像形成モード時の除電電流値を表面画像形成モード時の除電電流値よりも大きくするとともに、両面画像形成モード時の除電電流値を裏面画像形成モード時の除電電流値よりも大きく或いは等しく設定する必要があり、例えば表面画像形成モード時の除電電流値として５〜７ｋＶP-P、１５０μＡの交流成分に＋５００Ｖの直流成分を重畳し、裏面画像形成モード時の除電電流値として５〜７ｋＶP-P、２００μＡの交流成分に−５００Ｖの直流成分を重畳し、両面画像形成モード時の除電電流値として５〜７ｋＶP-P、２２０μＡの交流成分に−５００Ｖの直流成分を重畳するように、表面画像形成モード時、裏面画像形成モード時、両面画像形成モード時のそれぞれにおいて、紙分離ＡＣ除電器１４ｈにより記録紙Ｐを除電しトナー像受像体１４ａから分離させるときの紙分離ＡＣ除電器１４ｈへの除電電流値を変更する。
【００７３】
次に、本発明の転写材の種類や環境条件の変動に対する第１の転写手段の転写電流、第２の転写手段の転写電流、転写材帯電手段の帯電電流及び転写材分離手段の除電電流の転写電流の補正制御について図７〜図１１及び前述の図４を用いて説明する。図７は、両面画像形成モード及び裏面画像形成モードにおいて第１の像担持手段上に担持されている裏面画像のトナー像を第１の転写手段により第２の像担持手段に転写するときの転写特性を示す図であり、図８は、両面画像形成モードにおける転写特性を示す図であり、図８（Ａ）は第１の像担持手段上に担持されている表面画像のトナー像を第１の転写手段により転写材の表面に転写するときの転写特性を示す図であり、図８（Ｂ）は第２の像担持手段上に担持されている裏面画像のトナー像を第２の転写手段により転写材の裏面に転写するときの転写特性を示す図であり、図９は、表面画像形成モードにおいて第１の像担持手段上に担持されている表面画像のトナー像を第１の転写手段により転写材の表面に転写するときの転写特性を示す図であり、図１０は、裏面画像形成モードにおいて第２の像担持手段上に担持されている裏面画像のトナー像を第２の転写手段により転写材の裏面に転写するときの転写特性を示す図であり、図１１は、両面画像形成モードにおいて第１の転写手段の転写電流、第２の転写手段の転写電流、転写材帯電手段の帯電電流及び転写材分離手段の除電電流の転写電流を連動して補正制御する模式図である。
【００７４】
図４において、１０は第１の像担持手段である感光体ドラム、１４ａは第２の像担持手段であるトナー像受像体、１５０は転写材帯電手段としての紙帯電器、１４ｃは第１の転写手段としての転写器、１４ｇは第２の転写手段としての裏面転写器、１４ｈは転写材分離手段としての紙分離ＡＣ除電器であり、Ｅ１は紙帯電器１５０に帯電電流を供給するための直流定電流電源、Ｅ２は転写器１４ｃに転写電流を供給するための直流定電流電源、Ｅ３は裏面転写器１４ｇに転写電流を供給するための直流定電流電源、Ｅ４は紙分離ＡＣ除電器１４ｈに除電電流を供給するための交流定電流電源である。１６０は機内の環境条件検知手段としての湿度検知センサであり、また紙帯電器１５０は転写材の種類検知手段である転写材厚み検知手段としても用いられる。
【００７５】
本装置では、図１にて説明したように、機内の環境条件を検知するセンサ（環境条件検知手段）として機内湿度を検知するための湿度検知センサ１６０が感光体ドラム１０とトナー像受像体１４ａとに近接した位置に設けられており、湿度検知が行われる。環境条件検知手段としてこの他に温度センサ等が設けられ、温度検知等を合わせて行ってもよい。
【００７６】
また、転写材の種類を検知する手段（転写材種類検知手段）として、例えば記録紙Ｐの厚み検知手段が設けられる。本装置では、転写材厚み検知手段として紙帯電器１５０が兼用して設けられ、記録紙Ｐがトナー像受像体１４ａに給送される際、記録紙Ｐの先端部分での通電電流値を検知することにより記録紙Ｐの厚み検知を行う。
【００７７】
不図示の操作部より画像形成モードが選択され、それぞれの画像形成が行われる際、選択された画像形成モード及び上記の湿度検知センサや転写材厚み検知手段よりの湿度検知信号や転写材厚み検知信号に応じて、予め実験により求められ、記憶手段としてのＲＯＭ、ＲＡＭ内に格納されている画像形成モード、湿度条件、紙厚条件等に基づく最適電流値が制御部を通してＲＯＭやＲＡＭ内より読み出され、転写器１４ｃの直流定電流電源Ｅ２による転写電流値、裏面転写器１４ｇの直流定電流電源Ｅ３による転写電流値、紙帯電器１５０の直流定電流電源Ｅ１による帯電電流値、紙分離ＡＣ除電器１４ｈの交流定電流電源Ｅ４による除電電流値の補正が行われる。
【００７８】
図７は両面画像形成モード及び裏面画像形成モードにおいて感光体ドラム１０上に担持されている裏面画像のトナー像を第１の転写手段としての転写器１４ｃによりトナー像受像体１４ａに転写するときの転写特性を示す図であり、（ａ）は前記常温常湿（２０±５℃，４５±１０％）環境下におけるものであり、（ｂ）は湿度が６０〜８０％の高湿環境下におけるものである。常温常湿での最適転写電流値はＩＣ１であるが、湿度が６０〜８０％の高湿になると転写率が低下してしまう。このため、湿度検知センサ１６０による湿度検知信号によって高湿と判断されたときには、予めＲＯＭ，ＲＡＭ内に格納されている高湿時の最適転写電流値ＩＣ１１を読み出し、転写器１４ｃへの転写電流値の補正制御を行う。
【００７９】
図８（Ａ）は両面画像形成モードにおいて感光体ドラム１０上に担持されている表面画像のトナー像を第１の転写手段としての転写器１４ｃにより記録紙Ｐの表面に転写するときの転写特性を示す図であり、（ａ）は前記常温常湿（２０±５℃，４５±１０％）環境下で４５〜５５ｋｇ／ｍ2の紙厚の普通紙を用いたときのものであり、（ｂ）は湿度が６０〜８０％の高湿で６０〜７５ｋｇ／ｍ2の紙厚の厚紙を用いたときのものである。常温常湿環境下で普通紙を用いたときの最適転写電流値はＩＡ２であるが、湿度が６０〜８０％の高湿環境下で６０〜７５ｋｇ／ｍ2の紙厚の厚紙を用いると転写率が低下してしまう。このため、湿度検知センサ１６０による湿度検知信号及び転写材厚み検知手段による転写材厚み検知信号によって高湿で厚紙であると判断されたときには、予めＲＯＭ，ＲＡＭ内に格納されている高湿時で厚紙時の最適転写電流値ＩＡ２１を読み出し、転写器１４ｃへの転写電流値の補正制御を行う。なお転写材の種類や環境条件がともに変化した場合の補正制御は転写材の種類や環境条件により個別に補正されるものであってもよい。
【００８０】
図８（Ｂ）は両面画像形成モードにおいてトナー像受像体１４ａ上に担持されている裏面画像のトナー像を第２の転写手段としての裏面転写器１４ｇにより記録紙Ｐの裏面に転写するときの転写特性を示す図であり、（ａ）は前記常温常湿（２０±５℃，４５±１０％）環境下で４５〜５５ｋｇ／ｍ2の紙厚の普通紙を用いたときのものであり、（ｂ）は湿度が６０〜８０％の高湿で６０〜７５ｋｇ／ｍ2の紙厚の厚紙を用いたときのものである。常温常湿環境下で普通紙を用いたときの最適転写電流値はＩＢ２であるが、湿度が６０〜８０％の高湿環境下で６０〜７５ｋｇ／ｍ2の紙厚の厚紙を用いると転写率が低下してしまう。このため、上記の補正制御と同様にして高湿時で厚紙時の最適転写電流値ＩＢ２１を読み出し、裏面転写器１４ｇへの転写電流値の補正制御を行う。
【００８１】
図９は表面画像形成モードにおいて感光体ドラム１０上に担持されている表面画像のトナー像を第１の転写手段としての転写器１４ｃにより記録紙Ｐの表面に転写するときの転写特性を示す図であり、（ａ）は前記常温常湿（２０±５℃，４５±１０％）環境下で４５〜５５ｋｇ／ｍ2の紙厚の普通紙を用いたときのものであり、（ｂ）は湿度が６０〜８０％の高湿で６０〜７５ｋｇ／ｍ2の紙厚の厚紙を用いたときのものである。常温常湿環境下で普通紙を用いたときの最適転写電流値はＩＡ１であるが、湿度が６０〜８０％の高湿環境下で６０〜７５ｋｇ／ｍ2の紙厚の厚紙を用いると転写率が低下してしまう。このため、上記の補正制御と同様にして高湿時で厚紙時の最適転写電流値ＩＡ１１を読み出し、転写器１４ｃへの転写電流値の補正制御を行う。
【００８２】
図１０は裏面画像形成モードにおいてトナー像受像体１４ａ上に担持されている裏面画像のトナー像を第２の転写手段としての裏面転写器１４ｇにより記録紙Ｐの裏面に転写するときの転写特性を示す図であり、（ａ）は前記常温常湿（２０±５℃，４５±１０％）環境下で４５〜５５ｋｇ／ｍ2の紙厚の普通紙を用いたときのものであり、（ｂ）は湿度が６０〜８０％の高湿で６０〜７５ｋｇ／ｍ2の紙厚の厚紙を用いたときのものである。常温常湿環境下で普通紙を用いたときの最適転写電流値はＩＢ１であるが、湿度が６０〜８０％の高湿環境下で６０〜７５ｋｇ／ｍ2の紙厚の厚紙を用いると転写率が低下してしまう。このため、上記の補正制御と同様にして高湿時で厚紙時の最適転写電流値ＩＢ１１を読み出し、裏面転写器１４ｇへの転写電流値の補正制御を行う。
【００８３】
上記により、両面画像形成モード時、表面画像形成モード時及び裏面画像形成モード時の何れの場合においても、転写材の種類の違いや環境条件の変化が有っても、転写が良好に行われる。
【００８４】
また、上記と同様にして、転写材帯電手段としての紙帯電器１５０への帯電電流値の補正制御を行う。
【００８５】
例えば、両面画像形成モードにおいて、常温常湿（２０±５℃，４５±１０％）環境下で４５〜５５ｋｇ／ｍ2の紙厚の普通紙を用いる場合は、前述した如く、紙帯電器１５０への帯電電流値を−７０μＡに設定するが、湿度が６０〜８０％の高湿環境下で６０〜７５ｋｇ／ｍ2の紙厚の厚紙を用いる場合は、高湿時で厚紙時の最適帯電電流値を読み出し、−８０μＡに設定する。
【００８６】
また例えば、表面画像形成モードにおいて、常温常湿（２０±５℃，４５±１０％）環境下で４５〜５５ｋｇ／ｍ2の紙厚の普通紙を用いる場合は、前述した如く、紙帯電器１５０への帯電電流値を−５０μＡに設定するが、湿度が６０〜８０％の高湿環境下で６０〜７５ｋｇ／ｍ2の紙厚の厚紙を用いる場合は、高湿時で厚紙時の最適帯電電流値を読み出し、−６０μＡに設定する。
【００８７】
また例えば、裏面画像形成モードにおいて、常温常湿（２０±５℃，４５±１０％）環境下で４５〜５５ｋｇ／ｍ2の紙厚の普通紙を用いる場合は、前述した如く、紙帯電器１５０への帯電電流値を−７５μＡに設定するが、湿度が６０〜８０％の高湿環境下で６０〜７５ｋｇ／ｍ2の紙厚の厚紙を用いる場合は、高湿時で厚紙時の最適帯電電流値を読み出し、−８５μＡに設定する。
【００８８】
上記により、両面画像形成モード時、表面画像形成モード時及び裏面画像形成モード時の何れの場合においても、転写材の種類の違いや環境条件の変化が有っても、転写材の帯電及び吸着が良好に行われる。
【００８９】
更にまた、上記と同様にして、転写材分離手段としての紙分離ＡＣ除電器１４ｈへの除電電流値の補正制御を行う。
【００９０】
例えば、両面画像形成モードにおいて、常温常湿（２０±５℃，４５±１０％）環境下で４５〜５５ｋｇ／ｍ2の紙厚の普通紙を用いる場合は、前述した如く、紙分離ＡＣ除電器１４ｈへの除電電流値を５〜７ｋＶP-P、２２０μＡの交流成分に−５００Ｖの直流成分を重畳した値に設定するが、湿度が６０〜８０％の高湿環境下で６０〜７５ｋｇ／ｍ2の紙厚の厚紙を用いる場合は、高湿時で厚紙時の最適除電電流値を読み出し、５〜７ｋＶP-P、２４０μＡの交流成分に−６００Ｖの直流成分を重畳した値に設定する。
【００９１】
また例えば、表面画像形成モードにおいて、常温常湿（２０±５℃，４５±１０％）環境下で４５〜５５ｋｇ／ｍ2の紙厚の普通紙を用いる場合は、前述した如く、紙分離ＡＣ除電器１４ｈへの除電電流値を５〜７ｋＶP-P、１５０μＡの交流成分に＋５００Ｖの直流成分を重畳した値に設定するが、湿度が６０〜８０％の高湿環境下で６０〜７５ｋｇ／ｍ2の紙厚の厚紙を用いる場合は、高湿時で厚紙時の最適除電電流値を読み出し、５〜７ｋＶP-P、１８０μＡの交流成分に＋６００Ｖの直流成分を重畳した値に設定する。
【００９２】
また例えば、裏面画像形成モードにおいて、常温常湿（２０±５℃，４５±１０％）環境下で４５〜５５ｋｇ／ｍ2の紙厚の普通紙を用いる場合は、前述した如く、紙分離ＡＣ除電器１４ｈへの除電電流値を５〜７ｋＶP-P、２００μＡの交流成分に−５００Ｖの直流成分を重畳した値に設定するが、湿度が６０〜８０％の高湿環境下で６０〜７５ｋｇ／ｍ2の紙厚の厚紙を用いる場合は、高湿時で厚紙時の最適除電電流値を読み出し、５〜７ｋＶP-P、２２０μＡの交流成分に−６００Ｖの直流成分を重畳した値に設定する。
【００９３】
上記により、両面画像形成モード時、表面画像形成モード時及び裏面画像形成モード時の何れの場合においても、転写材の種類の違いや環境条件の変化が有っても、転写材の分離が良好に行われる。
【００９４】
本発明においては、上記転写材の種類や環境条件による変動に応じての、図７〜図１０にて説明した、両面画像形成モード、表面画像形成モード、裏面画像形成モードの各モードにおける、感光体ドラム１０上に担持されている裏面画像のトナー像のトナー像受像体１４ａへの転写の際の第１の転写手段としての転写器１４ｃの転写電流値の補正や、感光体ドラム１０上に担持されている表面画像のトナー像の記録紙Ｐの表面への転写の際の第１の転写手段としての転写器１４ｃの転写電流値の補正や、トナー像受像体１４ａ上に担持されている裏面画像のトナー像の記録紙Ｐの裏面への転写の際の第２の転写手段としての裏面転写器１４ｇの転写電流値の補正や、記録紙Ｐのトナー像受像体１４ａへの供給の際の転写材帯電手段としての紙帯電器１５０への帯電電流値の補正や、記録紙Ｐのトナー像受像体１４ａからの分離の際の転写材分離手段としての紙分離ＡＣ除電器１４ｈへの除電電流値の補正の少なくとも２組が連動して行われる。
【００９５】
即ち、両面画像形成モード時には、感光体ドラム１０上の裏面画像をトナー像受像体１４ａに転写する第１の転写手段としての転写器１４ｃの転写電流値や、感光体ドラム１０上の表面画像を記録紙Ｐの表面に転写する第１の転写手段としての転写器１４ｃの転写電流値や、トナー像受像体１４ａ上の裏面画像を記録紙Ｐの裏面へ転写する第２の転写手段としての裏面転写器１４ｇの転写電流値や、転写材帯電手段としての紙帯電器１５０への帯電電流値や、転写材分離手段としての紙分離ＡＣ除電器１４ｈへの除電電流値の内の、少なくとも２組の値が連動して変更され、表面画像形成モード時には、感光体ドラム１０上の表面画像を記録紙Ｐの表面に転写する第１の転写手段としての転写器１４ｃの転写電流値や、転写材帯電手段としての紙帯電器１５０への帯電電流値や、転写材分離手段としての紙分離ＡＣ除電器１４ｈへの除電電流値の内の、少なくとも２組の値が連動して変更され、裏面画像形成モード時には、感光体ドラム１０上の裏面画像をトナー像受像体１４ａに転写する第１の転写手段としての転写器１４ｃの転写電流値や、トナー像受像体１４ａ上の裏面画像を記録紙Ｐの裏面へ転写する第２の転写手段としての裏面転写器１４ｇの転写電流値や、転写材帯電手段としての紙帯電器１５０への帯電電流値や、転写材分離手段としての紙分離ＡＣ除電器１４ｈへの除電電流値の内の、少なくとも２組の値が連動して変更される。
【００９６】
補正を連動して行うことによって、画像形成モードによって複雑に絡みあう、第１の転写手段としての転写器１４ｃの転写電流値、第２の転写手段としての裏面転写器１４ｇの転写電流値、転写材帯電手段としての紙帯電器１５０の帯電電流値、転写材分離手段としての紙分離ＡＣ除電器１４ｈの除電電流値を、それぞれ最適条件に設定することが可能となる。それぞれの補正を独立に行う場合には、各電流値の最適設定範囲が極大値をもつことから、電流値を大きくしすぎたり、或いは電流値の増加幅を少なくしすぎたりするような場合が生じ、必ずしも最適条件に設定することができないばかりでなく、補正制御が非常に複雑となる。
【００９７】
例えば、図１１に示すように、両面画像形成モードにおいて、転写材の種類や環境条件による変動に応じて、感光体ドラム１０上に担持されている裏面画像のトナー像をトナー像受像体１４ａに転写する第１の転写手段としての転写器１４ｃへの転写電流値の補正が行われると、感光体ドラム１０上に担持されている表面画像のトナー像を記録紙Ｐの表面に転写する第１の転写手段としての転写器１４ｃへの転写電流値の補正や、トナー像受像体１４ａ上に担持されている裏面画像のトナー像を記録紙Ｐの裏面に転写する第２の転写手段としての裏面転写器１４ｇへの転写電流値の補正や、記録紙Ｐをトナー像受像体１４ａに供給する際の転写材帯電手段としての紙帯電器１５０への帯電電流値の補正や、記録紙Ｐをトナー像受像体１４ａから分離する際の転写材分離手段としての紙分離ＡＣ除電器１４ｈへの除電電流値の補正が、連動して行われる。
【００９８】
即ち、両面画像形成モードにおいて、感光体ドラム１０上の裏面画像をトナー像受像体１４ａに転写する第１の転写手段としての転写器１４ｃの転写電流値を大きくしたときは、感光体ドラム１０上の表面画像を記録紙Ｐの表面に転写する第１の転写手段としての転写器１４ｃの転写電流値や第２の転写手段としての裏面転写器１４ｇの転写電流値も大きくする。また、感光体ドラム１０上の表面画像を記録紙Ｐの表面に転写する転写器１４ｃの転写電流値を大きくしたときは、裏面転写器１４ｇの転写電流値や転写材分離手段としての紙分離ＡＣ除電器１４ｈの除電電流値も大きくする。更に、裏面転写器１４ｇの転写電流値を大きくしたときは、紙分離ＡＣ除電器１４ｈの除電電流値も大きくする。更にまた、転写材帯電手段としての紙帯電器１５０の帯電電流値を大きくしたときは、感光体ドラム１０上の表面画像を記録紙Ｐの表面に転写する転写器１４ｃの転写電流値や裏面転写器１４ｇの転写電流値や紙分離ＡＣ除電器１４ｈの除電電流値も大きくする。
【００９９】
また、表面画像形成モードにおいて、感光体ドラム１０上の表面画像を記録紙Ｐの表面に転写する転写器１４ｃの転写電流値を大きくしたときは、紙分離ＡＣ除電器１４ｈの除電電流値も大きくし、紙帯電器１５０の帯電電流値を大きくしたときは、感光体ドラム１０上の表面画像を記録紙Ｐの表面に転写する転写器１４ｃの転写電流値や紙分離ＡＣ除電器１４ｈの除電電流値も大きくする。
【０１００】
更に、裏面画像形成モードにおいて、感光体ドラム１０上の裏面画像をトナー像受像体１４ａに転写する転写器１４ｃの転写電流値を大きくしたときは、裏面転写器１４ｇの転写電流値も大きくし、裏面転写器１４ｇの転写電流値を大きくしたときは、紙分離ＡＣ除電器１４ｈの除電電流値も大きくし、紙帯電器１５０の帯電電流値を大きくしたときは、裏面転写器１４ｇの転写電流値や紙分離ＡＣ除電器１４ｈの除電電流値も大きくする。
【０１０１】
上記の如き、第１の転写手段の転写電流値や第２の転写手段の転写電電流値や転写材帯電手段の帯電電流値や転写材分離手段の除電電流値を連動して補正制御することにより、転写材の種類の違いや環境条件の変化が有っても、両面画像形成モード時、表面画像形成モード時、裏面画像形成モード時の何れにおいても、トナー像の転写や転写材の帯電及び吸着や転写材の分離が良好に行われる。
【０１０２】
上記の説明においては、定電流電源を用いて、第１の転写手段の転写電流値や、第２の転写手段の転写電流値や、転写材帯電手段の帯電電流値や、転写材分離手段の除電電流値の補正制御を行ったが、定電圧電源を用い、第１の転写手段の転写電圧値や、第２の転写手段の転写電圧値や、転写材帯電手段の帯電電圧値や、転写材分離手段の除電電圧値の補正制御を行ってもよいことは勿論である。
【０１０３】
実施形態２
本発明にかかわる画像形成装置の第２の実施形態の画像形成プロセスおよび各機構について、図１２及び図１３を用いて説明する。図１２は、本発明にかかわる画像形成装置の第２の実施形態の画像形成装置の断面構成図であり、図１３は、第２の実施形態にかかわる画像形成プロセスのタイミングチャートである。本実施形態は前記第１の実施形態のカラー画像形成に代えてモノクロ画像形成を行うものであり、前記第１の実施形態の画像形成装置にて説明したと同様の機能、構造を有する部材には同一の番号を付した。
【０１０４】
本実施形態の画像形成装置は、前記実施形態１の画像形成装置の帯電手段及び第１の転写手段を変更して用いる。
【０１０５】
帯電手段としては、前述のスコロトロン帯電器１１の代わりに、接触帯電部材であるローラ帯電器１１０を用い、ローラ帯電器１１０に直流電圧（ＤＣ電圧）に交流電圧（ＡＣ電圧）を重畳した帯電バイアスを印加することにより感光体ドラム１０を帯電する。
【０１０６】
第１の転写手段としては、前述のコロナ放電器からなる転写器１４ｃの代わりに、接触転写部材である転写ローラ１４ｊを用い、転写ローラ１４ｊをトナー像受像体１４ａを介して感光体ドラム１０に当接させニップ部（転写域）Ｔを形成し、転写ローラ１４ｊにトナーと反対極性（本実施形態においてはプラス極性）の転写バイアス（ＤＣ電圧）を印加することによりニップ部Ｔに転写電界を形成し、感光体ドラム１０上のトナー像をトナー像受像体１４ａおよび記録紙Ｐの表面に転写させる。
【０１０７】
また、前記実施形態１と同様に、機内の環境条件を測定するセンサとして、例えば機内湿度を検知するための湿度検知センサ１６０が感光体ドラム１０とトナー像受像体１４ａとに近接した位置に設けられる。機内の環境条件を測定するセンサとしては、この他温度センサ等が設けられてもよい。
【０１０８】
第２の実施形態の画像形成装置の画像形成プロセスについて以下に説明する。
【０１０９】
第１の像担持手段としての感光体ドラム１０は、例えば円筒状のアルミ部材によって形成される基体の外周に、ａ−Ｓｉ（アモルファスシリコン）あるいは有機感光体（ＯＰＣ）等の感光層を形成したものであり、図１２の矢印で示す時計方向に周速２８０ｍｍ／ｓｅｃの速度で回転される。
【０１１０】
帯電手段としてのローラ帯電器１１０は、感光体ドラム１０と接触する帯電部材であり、ローラ帯電器１１０に印加されるトナーと同極性（本実施形態においてはマイナス極性）の帯電バイアスにより、前記感光体ドラム１０の感光層に帯電作用（本実施形態においてはマイナス帯電）を行い、前記感光体ドラム１０に対し一様な電位を与える。
【０１１１】
像露光手段としての露光ユニット１２０は、不図示の発光素子としての半導体レーザ、該半導体レーザから発光されるレーザ光を回転走査する回転多面鏡１２０ｂ、ｆθレンズ１２０ｃ及び反射ミラー１２０ｄにより構成され、前記半導体レーザから発光されるレーザ光を前記回転多面鏡１２０ｂにより回転走査し、前記ｆθレンズ１２０ｃ、前記反射ミラー１２０ｄを経て、回転する前記感光体ドラム１０上に画像データに基づいた像露光を行い潜像を形成する。なお画像データは、表面画像に対応した画像データと裏面画像に対応した画像データとが互いに鏡像になる様に、データを変更する必要がある。
【０１１２】
現像手段としての現像器１３は、例えば黒色（Ｋ）の一成分あるいは二成分の現像剤を収容し、不図示の突き当てコロにより前記感光体ドラム１０と所定の間隙をあけて保たれた、例えば厚み０．５〜１ｍｍ、外径１５〜２５ｍｍの円筒状の非磁性のステンレスあるいはアルミ材からなる現像剤担持体である現像スリーブ１３１を備え、該現像スリーブ１３１に対してトナーと同極性（本実施形態においてはマイナス極性）の直流電圧からなる現像バイアスを印加することにより反転現像を行い、前記感光体ドラム１０の潜像を現像する。現像バイアスとしては直流電圧（ＤＣ電圧）に交流電圧（ＡＣ電圧）を重畳したものを用いてもよい。
【０１１３】
本実施形態においては、前記感光体ドラム１０の移動方向の上流側から順に、ローラ帯電器１１０、露光ユニット１２０および現像器１３が配置されており、画像記録のスタートにより不図示の感光体駆動モータによって感光体ドラム１０が矢印で示す時計方向へ回転され、同時にローラ帯電器１１０が動作し、感光体ドラム１０に電位の付与が開始される。電位が付与された感光体ドラム１０には、つぎに露光ユニット１２０によってレーザ光による像露光が行われ、感光体ドラム１０上に静電潜像が形成される。該静電潜像は、つぎに現像器１３によって反転現像され、感光体ドラム１０上にトナー像が形成される（トナー像形成手段）。
【０１１４】
上記の画像形成プロセスによって第１の像担持手段としての感光体ドラム１０上に裏面画像となるトナー像が形成され、該トナー像は、転写域Ｔにおいて、トナーと反対極性（本実施形態においてはプラス極性）の直流電圧が印加された第１の転写手段である転写ローラ１４ｊにより、第２の像担持手段としてのトナー像受像体１４ａ上に転写される。
【０１１５】
第２の像担持手段としてのトナー像受像体１４ａは、駆動ローラ１４ｄ、従動ローラ１４ｅ及びテンションローラ１４ｉ間に張架され、感光体ドラム１０に接触して設けられた無端状のベルトであり、厚さ１００〜５００μｍ、体積抵抗率１０10〜１０14Ω・ｃｍの半導電性の変性ポリイミドベルト基体の外側に、好ましくはトナーフィルミング防止層として、厚さ５〜５０μｍの半導電性のフッ素コーティングを行った２層構成のフィルムベルトとされる。また前記の変性ポリイミド基体の代わりに、厚さ１００〜５００μｍ、体積抵抗率１０10〜１０14Ω・ｃｍの半導電性のポリエステル、ポリスチレン、ポリエチレン、ポリエチレンテレフタレート、ＥＴＦＥ（エチレンテトラフルオロエチレン共重合体）等のフィルムや、厚さ０．５〜２．０ｍｍ、体積抵抗率１０10〜１０14Ω・ｃｍの半導電性のウレタンゴム或いはシリコンゴムを基体として使用することもできる。
【０１１６】
転写後の感光体ドラム１０の周面上に残ったトナーは、感光体ドラムＡＣ除電器１６により除電を受けた後、感光体ドラムクリーニング手段としてのクリーニング装置１９にいたり、感光体ドラム１０に当接したゴム材から成る感光体ドラムクリーニングブレード１９ａによってクリーニングされ、スクリュウ１９ｂによって図示せぬ排トナー容器に回収される。
【０１１７】
以上のようにして第２の像担持手段であるトナー像受像体１４ａ上に裏面画像となるトナー像が形成された後、残留トナーを除去された第１の像担持手段である感光体ドラム１０上には、引き続き表面画像となるトナー像の形成が開始される。
【０１１８】
また、転写材収納手段である給紙カセット１５からは、転写材である記録紙Ｐが、送り出しローラ１５ａを経てタイミングローラ１５ｂによって送り出される。この際、前記トナー像受像体１４ａ上に形成されている裏面画像のトナー像と、前記感光体ドラム１０上に形成される表面画像のトナー像と、記録紙Ｐとが、転写域１４ｂにおいて同期がとられるように、前記表面画像形成のタイミング及び記録紙Ｐの送り出しタイミングが合わせられる。
【０１１９】
タイミングローラ１５ｂによってタイミングを合わせて送り出された記録紙Ｐは、トナーと同極性（本実施形態においてはマイナス極性）の直流電圧が印加された転写材帯電手段としてのブラシ状の紙帯電器１５０によってトナーと同極性に紙帯電され、トナー像受像体１４ａに吸着される。
【０１２０】
転写材帯電手段としての紙帯電器１５０は、支軸１５２を回転支点としてトナー像受像体１４ａに当接及び当接解除可能な導電性のブラシであり、接地された従動ローラ１４ｅと対向して設けられる。前記紙帯電器１５０は、記録紙Ｐが送られているときのみ当接状態とされ、トナーと同極性の直流電圧が印加され、記録紙Ｐの後端が通過する直前或いは通過と同時に当接が解除されて記録紙Ｐと離間され、印加されている電圧が切断される。
【０１２１】
前記紙帯電器１５０による紙帯電はトナーと同極性であり、トナー像受像体１４ａ上のトナー像や感光体ドラム１０上のトナー像と引き合うことを防止して、トナー像の乱れを防止している。また転写材帯電手段として、トナー像受像体１４ａに当接及び当接の解除可能でトナーと同極性の直流電圧が印加される導通ローラを用いることも可能である。
【０１２２】
前記紙帯電器１５０によってトナー像受像体１４ａに吸着された記録紙Ｐは、転写域Ｔへ給送され、転写域Ｔでは、トナーと反対極性（本実施形態においてはプラス極性）の電圧が印加された第１の転写手段としての転写ローラ１４ｊによって感光体ドラム１０上の表面画像のトナー像が記録紙Ｐの表面（上面側）に転写される。なお、トナー像受像体１４ａ上の裏面画像のトナー像は、記録紙Ｐに転写されないでトナー像受像体１４ａ上に存在する。
【０１２３】
表面画像のトナー像が転写された記録紙Ｐは、トナー像受像体１４ａに吸着したまま、該トナー像受像体１４ａの移動とともに第２の転写域へと搬送される。第２の転写域では、接地された駆動ローラ１４ｄに対向して配置され、トナーと反対極性（本実施形態においてはプラス極性）の電圧が印加された第２の転写手段としての裏面転写器１４ｇによって、トナー像受像体１４ａ上の裏面画像のトナー像が、記録紙Ｐの裏面（下面側）に転写される。
【０１２４】
以上のようにして両面にトナー像が転写された記録紙Ｐは、接地された駆動ローラ１４ｄに対向して配置され、ＡＣ電圧またはＡＣとＤＣの重畳電圧が印加された転写材分離用手段しての紙分離ＡＣ除電器１４ｈにより除電され、トナー像受像体１４ａから分離される。
【０１２５】
トナー像受像体１４ａから分離された記録紙Ｐは、内部にヒータを有する２本のローラ１７ａと１７ｂとを有する定着手段としての定着装置１７へと搬送され、熱と圧力によって表面および裏面に付着したトナーが定着された後、排紙ローラ１８を経て、装置外部のトレイへ排出される。
【０１２６】
裏面画像のトナー像を記録紙Ｐへ転写した後にトナー像受像体１４ａ上に残ったトナーは、従動ローラ１４ｅと対向して設けられ、支軸１４２を回転支点としてトナー像受像体１４ａに当接及び当接の解除可能なブレード部材１４１を有する、第２の像担持手段クリーニング手段であるトナー像受像体クリーニング装置１４０によりクリーニングされる。なお、前記ブレード部材１４１の当接解除及び当接は不図示の当節解除ソレノイドのｏｎ，ｏｆｆにより行われる。
【０１２７】
また、表面画像のトナー像を記録紙Ｐへ転写した後に感光体ドラム１０上に残ったトナーは、裏面画像形成時と同様に感光体ドラムＡＣ除電器１６により除電を受けた後、クリーニング装置１９によって残留トナーを除去され、次の画像形成サイクルにはいる。
【０１２８】
上記の画像形成装置においては、以上のようにして記録紙Ｐの両面に画像が形成されるが、前記実施形態１の図３にて説明したと同様に、記録紙Ｐの表面または裏面のみに画像を形成できることは勿論である。
【０１２９】
図１３は本実施形態に関わる画像形成プロセスのタイミングチャートであり、Ａ−３サイズ１枚の両面画像を形成するときのものである。図中、レーザー出力１は裏面画像形成時の露光ユニット１２０より感光体ドラム１０へのレーザー露光走査を示し、またレーザー出力２は表面画像形成時の露光ユニット１２０より感光体ドラム１０へのレーザー露光走査を示すものである。また転写ローラ高圧出力１は感光体ドラム１０上の裏面画像をトナー像受像体１４ａへ転写するときの第１の転写手段としての転写ローラ１４ｊへの転写電圧印加を、また、転写高圧出力２は感光体ドラム１０上の表面画像を記録紙Ｐの表面に転写するときの転写ローラ１４ｊへの転写電圧印加を示すものである。また、裏面転写器高圧出力はトナー像受像体１４ａ上の裏面画像のトナー像を記録紙Ｐの裏面に転写するときの裏面転写器１４ｇへの転写電圧印加を示すものであり、紙帯電器高圧出力は記録紙Ｐを帯電させトナー像受像体１４ａに吸着させるときの紙帯電器１５０への帯電電圧印加を示すものであり、紙分離ＡＣ除電器高圧出力は記録紙Ｐをトナー像受像体１４ａより分離させるときの紙分離ＡＣ除電器１４ｈのへ除電電圧印加を示すものである。
【０１３０】
本実施形態においては、上記転写ローラ１４ｊへの転写電圧印加、裏面転写器１４ｇへの転写電圧印加、紙帯電器１５０への帯電電圧印加及び紙分離ＡＣ除電器１４ｈへの除電電圧印加は、定電圧電源を用いて行われ、転写ローラ１４ｊの転写電圧、裏面転写器１４ｇの転写電圧、紙帯電器１５０の帯電電圧及び紙分離ＡＣ除電器１４ｈの除電電圧が制御されるが、本実施形態においても、前記第１の実施形態と同様に定電流電源を用い、転写ローラ１４ｊの転写電流、裏面転写器１４ｇの転写電流、紙帯電器１５０の帯電電流及び紙分離ＡＣ除電器１４ｈの除電電流を制御してもよいことは勿論である。
【０１３１】
次に、転写材抵抗・容量検知手段による検知結果に応じての、第１の転写手段の転写電圧、第２の転写手段の転写電圧、転写材帯電手段の帯電電圧及び転写材分離手段の除電電圧の制御について、図１４及び前述の図１３を用いて説明する。図１４は、転写材抵抗・容量検知手段による検知結果に応じての、第１の転写手段の転写電圧、第２の転写手段の転写電圧、転写材帯電手段の帯電電圧及び転写材分離手段の除電電圧の制御を示すブロック図である。
【０１３２】
本装置では、転写材に電圧を印加してそのときの通電電流の値を検知或いは転写材に電流を通電してそのときの印加電圧の値を検知することにより、転写材の抵抗、容量或いは抵抗と容量とを併せて検知する転写材抵抗・容量検知手段として、転写材帯電手段としての紙帯電器１５０を兼用して用いる。紙帯電器１５０による転写材抵抗・容量検知は、例えば図１３に示すように、紙帯電器１５０による転写材としての記録紙Ｐの帯電の際に記録紙Ｐの先端部分、例えば１〜５ｍｍ間での直流定電圧電源Ｅ１１からの通電電流値を検知することにより行われ、転写材抵抗・容量検知信号が制御部に入力される。
【０１３３】
転写材の抵抗・容量は転写材の厚みや材質或いは機内の環境条件等によって変化するものであるが、転写材の幅が変化した場合、転写材そのものの抵抗・容量は変化していなくても、転写材の両端部で紙帯電器１５０とトナー像受像体１４ａとが接触する幅が変化するため、紙帯電器１５０からの転写材抵抗・容量検知信号が変化してしまうことになる。このため、本装置では、転写材の搬送方向の幅を検知する手段（転写材幅検知手段）として、例えば転写材収納手段である給紙カセット１５に不図示の転写材サイズ検知部材を設け、該転写材幅検知手段としての転写材サイズ検知部材から転写材幅検知信号が制御部に入力される。
【０１３４】
不図示の操作部より画像形成モードが選択され、それぞれの画像形成が行われる際、選択された画像形成モード及び上記の転写材抵抗・容量検知信号や転写材幅検知信号に応じて、予め実験により求められ、記憶手段としてのＲＯＭ、ＲＡＭ内に格納されている画像形成モード、転写材の抵抗・容量の変化等に基づく最適電流値が制御部を通してＲＯＭやＲＡＭ内より読み出され、直流定電圧電源Ｅ２１による転写ローラ１４ｊの転写電圧値、直流定電圧電源Ｅ３１による裏面転写器１４ｇの転写電圧値、直流定電圧電源Ｅ１１による紙帯電器１５０の帯電電圧値、交流定電圧電源Ｅ４１による紙分離ＡＣ除電器１４ｈの除電電圧値の補正が行われる。なお、上記においては、紙帯電器転写材抵抗・容量検知手段として紙帯電器１５０が兼用して用いられているため、転写材帯電手段としての紙帯電器１５０の帯電電圧値の補正は転写材の先端部分が通過した後の途中からの補正となる。
【０１３５】
上記により、転写材の厚みや材質或いは機内の環境条件等によって転写材の抵抗・容量が変化しても、トナー像の転写や転写材の帯電及び吸着や転写材の分離が良好に行われる。
【０１３６】
次に、第２の像担持手段抵抗・容量検知手段による検知結果に応じての、第１の転写手段の転写電圧、第２の転写手段の転写電圧、転写材帯電手段の帯電電圧及び転写材分離手段の除電電圧の制御について、図１５〜図１７及び前述の図１３を用いて説明する。図１５は、転写材帯電手段を第２の像担持手段抵抗・容量検知手段として用いた例を示す電流制御の回路ブロック図であり、図１６は、第１の転写手段を第２の像担持手段抵抗・容量検知手段として用いた例を示す電流制御の回路ブロック図であり、図１７は、第２の像担持手段クリーニング手段を第２の像担持手段抵抗・容量検知手段として用いた例を示す電流制御の回路ブロック図である。
【０１３７】
図１５は、第２の像担持手段抵抗・容量検知手段として転写材帯電手段としての紙帯電器１５０を兼用して用い、紙帯電器１５０からのトナー像受像体抵抗・容量検知信号に応じて、感光体ドラム１０上の裏面画像をトナー像受像体１４ａに転写する第１の転写手段としての転写ローラ１４ｊの転写電圧値、感光体ドラム１０上の表面画像を転写材としての記録紙Ｐの表面に転写する第１の転写手段としての転写ローラ１４ｊの転写電圧値、トナー像受像体１４ａ上の裏面画像を記録紙Ｐの裏面に転写する第２の転写手段としての裏面転写器１４ｇの転写電圧値、記録紙Ｐをトナー像受像体１４ａから分離する際の転写材分離手段としての紙分離ＡＣ除電器１４ｈの除電電圧値を制御するときのブロック図である。
【０１３８】
紙帯電器１５０によるトナー像受像体抵抗・容量検知は、例えば図１３に示すように、転写材としての記録紙Ｐがトナー像受像体１４ａ上を通過しないときに紙帯電器１５０をトナー像受像体１４ａに当接させて電圧を印加し、直流定電圧電源Ｅ１１からの通電電流値を検知することにより行われ、トナー像受像体抵抗・容量検知信号が制御部に入力される。
【０１３９】
不図示の操作部より画像形成モードが選択され、それぞれの画像形成が行われる際、選択された画像形成モードや上記のトナー像受像体抵抗・容量検知信号に応じて、予め実験により求められ、記憶手段としてのＲＯＭ、ＲＡＭ内に格納されている画像形成モード、トナー像受像体の抵抗・容量の変化等に基づく最適電流値が制御部を通してＲＯＭやＲＡＭ内より読み出され、直流定電圧電源Ｅ２１による転写ローラ１４ｊの転写電圧値、直流定電圧電源Ｅ３１による裏面転写器１４ｇの転写電圧値、交流定電圧電源Ｅ４１による紙分離ＡＣ除電器１４ｈの除電電圧値の補正が行われる。
【０１４０】
また、図１６は、第２の像担持手段抵抗・容量検知手段として第１の転写手段としての転写ローラ１４ｊを兼用して用い、転写ローラ１４ｊからのトナー像受像体抵抗・容量検知信号に応じて、感光体ドラム１０上の裏面画像をトナー像受像体１４ａに転写する第１の転写手段としての転写ローラ１４ｊの転写電圧値、感光体ドラム１０上の表面画像を転写材としての記録紙Ｐの表面に転写する第１の転写手段としての転写ローラ１４ｊの転写電圧値、トナー像受像体１４ａ上の裏面画像を記録紙Ｐの裏面に転写する第２の転写手段としての裏面転写器１４ｇの転写電圧値、記録紙Ｐをトナー像受像体１４ａから分離する際の転写材分離手段としての紙分離ＡＣ除電器１４ｈの除電電圧値を制御するときのブロック図である。
【０１４１】
転写ローラ１４ｊによるトナー像受像体抵抗・容量検知は、感光体ドラム１０上にトナー像をトナー像受像体１４ａ或いは記録紙Ｐに転写する前に転写ローラ１４ｊに電圧を印加し、直流定電圧電源Ｅ２１からの通電電流値を検知することにより行われ、トナー像受像体抵抗・容量検知信号が制御部に入力される。
【０１４２】
不図示の操作部より画像形成モードが選択され、それぞれの画像形成が行われる際、上記と同様にして最適電流値が読み出され、直流定電圧電源Ｅ２１による転写ローラ１４ｊの転写電圧値、直流定電圧電源Ｅ３１による裏面転写器１４ｇの転写電圧値、交流定電圧電源Ｅ４１による紙分離ＡＣ除電器１４ｈの除電電圧値の補正が行われる。
【０１４３】
更に、図１７は、第２の像担持クリーニング手段としてのトナー像受像体クリーニング装置１４０に設けられるトナー像受像体クリーニングブレード１４１を電圧印加可能とし、第２の像担持手段抵抗・容量検知手段としてトナー像受像体クリーニングブレード１４１を用い、該ブレード１４１からのトナー像受像体抵抗・容量検知信号に応じて、感光体ドラム１０上の裏面画像をトナー像受像体１４ａに転写する第１の転写手段としての転写ローラ１４ｊの転写電圧値、感光体ドラム１０上の表面画像を転写材としての記録紙Ｐの表面に転写する第１の転写手段としての転写ローラ１４ｊの転写電圧値、トナー像受像体１４ａ上の裏面画像を記録紙Ｐの裏面に転写する第２の転写手段としての裏面転写器１４ｇの転写電圧値、記録紙Ｐをトナー像受像体１４ａから分離する際の転写材分離手段としての紙分離ＡＣ除電器１４ｈの除電電圧値を制御するときのブロック図である。
【０１４４】
トナー像受像体クリーニングブレード１４１によるトナー像受像体抵抗・容量検知は、感光体ドラム１０上のトナー像をトナー像受像体１４ａ或いは記録紙Ｐに転写する前にトナー像受像体クリーニングブレード１４１をトナー像受像体１４ａに当接させて直流定電圧電源Ｅ５を用いて電圧を印加し、直流定電圧電源Ｅ５からの通電電流値を検知することにより行われ、トナー像受像体抵抗・容量検知信号が制御部に入力される。
【０１４５】
不図示の操作部より画像形成モードが選択され、それぞれの画像形成が行われる際、上記と同様にして最適電流値が読み出され、直流定電圧電源Ｅ２１による転写ローラ１４ｊの転写電圧値、直流定電圧電源Ｅ３１による裏面転写器１４ｇの転写電圧値、交流定電圧電源Ｅ４１による紙分離ＡＣ除電器１４ｈの除電電圧値の補正が行われる。
【０１４６】
上記により、第２の像担持体の繰り返し使用による劣化や機内の環境条件等によって第２の像担持体の抵抗・容量が変化しても、トナー像の転写や転写材の分離が良好に行われる。
【０１４７】
上記の実施形態においては、転写材抵抗・容量検知手段或いは第２の転写手段抵抗・容量検知手段を転写材帯電手段等のプロセス部材と兼用して設けたが、これに限定されるものではなく、前述したと同様の機能を有する転写材抵抗・容量検知手段或いは第２の転写手段抵抗・容量検知手段を独立して設けたものも本発明に含まれることは勿論である。
【図面の簡単な説明】
【０１４８】
【図１】本発明の画像形成装置の第１の実施形態を示すカラー画像形成装置の断面構成図である。
【図２】本発明にかかわる画像形成装置により転写材の両面に画像形成を行うときのトナー像の形成状態と転写材の供給を示す図である。
【図３】本発明にかかわる画像形成装置により転写材の表面または裏面のみに画像形成を行うときのトナー像の形成状態と転写材の供給及び排出を示す図である。
【図４】第１の実施形態における第１の転写手段の転写電流、第２の転写手段の転写電流、転写材帯電手段の帯電電流及び転写材分離手段の除電電流の制御を示すブロック図である。
【図５】転写材の表面または裏面のみ或いは転写材の両面に画像形成を行う際の転写特性を示す図である。
【図６】転写材を第２の像担持手段に供給するときの転写材の帯電および第２の像担持手段への吸着の状態を示す図である。
【図７】両面画像形成モード及び裏面画像形成モードにおいて第１の像担持手段上に担持されている裏面画像のトナー像を第１の転写手段により第２の像担持手段に転写するときの転写特性を示す図である。
【図８】両面画像形成モードにおける転写特性を示す図である。
【図９】表面画像形成モードにおいて第１の像担持手段上に担持されている表面画像のトナー像を第１の転写手段により転写材の表面に転写するときの転写特性を示す図である。
【図１０】裏面画像形成モードにおいて第２の像担持手段上に担持されている裏面画像のトナー像を第２の転写手段により転写材の裏面に転写するときの転写特性を示す図である。
【図１１】両面画像形成モードにおいて第１の転写手段の転写電流、第２の転写手段の転写電流、転写材帯電手段の帯電電流及び転写材分離手段の除電電流の転写電流を連動して補正制御する模式図である。
【図１２】本発明にかかわる画像形成装置の第２の実施形態の画像形成装置の断面構成図である。
【図１３】第２の実施形態にかかわる画像形成プロセスのタイミングチャートである。
【図１４】転写材抵抗・容量検知手段による検知結果に応じての、第１の転写手段の転写電圧、第２の転写手段の転写電圧、転写材帯電手段の帯電電圧及び転写材分離手段の除電電圧の制御を示すブロック図である。
【図１５】転写材帯電手段を第２の像担持手段抵抗・容量検知手段として用いた例を示す電流制御の回路ブロック図である。
【図１６】第１の転写手段を第２の像担持手段抵抗・容量検知手段として用いた例を示す電流制御の回路ブロック図である。
【図１７】第２の像担持手段クリーニング手段を第２の像担持手段抵抗・容量検知手段として用いた例を示す電流制御の回路ブロック図である。
【符号の説明】
【０１４９】
１０  感光体ドラム
１１  スコロトロン帯電器
１２  露光ユニット
１３  現像器
１４ａ  トナー像受像体
１４ｃ  転写器
１４ｇ  裏面転写器
１４ｈ  紙分離ＡＣ除電器
１４ｊ  転写ローラ
１７  定着装置
１４０  トナー像受像体クリーニング装置
１４１  トナー像受像体クリーニングブレード
１５０  紙帯電器
１６０  湿度検知センサ
Ｅ１，Ｅ２，Ｅ３  直流定電流電源
Ｅ４  交流定電流電源
Ｅ５，Ｅ１１，Ｅ２１，Ｅ３１  直流定電圧電源
Ｅ４１  交流定電圧電源
Ｐ  記録紙
【図１】
2006301662.tif 000003
【図２】
2006301662.tif 000004
【図３】
2006301662.tif 000005
【図４】
2006301662.tif 000006
【図５】
2006301662.tif 000007
【図６】
2006301662.tif 000008
【図７】
2006301662.tif 000009
【図８】
2006301662.tif 000010
【図９】
2006301662.tif 000011
【図１０】
2006301662.tif 000012
【図１１】
2006301662.tif 000013
【図１２】
2006301662.tif 000014
【図１３】
2006301662.tif 000015
【図１４】
2006301662.tif 000016
【図１５】
2006301662.tif 000017
【図１６】
2006301662.tif 000018
【図１７】
2006301662.tif 000019